(57)【要約】【課題】ＡＤＳＬ伝送時に変換損失を抑制しスループットの向上を行う。【解決手段】電話回線を介して、ＡＴＵ−Ｒ１１０とＤＳＬＡＭ１１１間のＡＤＳＬ伝送を行うＡＤＳＬカプセリング化システムに、ＡＴＵ−ＲからＤＳＬＡＭに送信するパケットに同期用のフレームビットと誤り検出用のＦＣＳを挿入しパケットのカプセリングを行い、ＤＳＬＡＭからＡＴＵ−Ｒに送信されカプセリングされたパケットに対して、同期を確立し、誤り検出を行い、カプセリングされたパケットからパケットを抽出するＡＴＵ−Ｒのカプセリング化部１１０Ａと、ＤＳＬＡＭからＡＴＵ−Ｒに送信するパケットに同期用のフレームビットと誤り検出用のＦＣＳを挿入しパケットのカプセリングを行い、ＡＴＵ−ＲからＤＳＬＡＭに送信されカプセリングされたパケットに対して、同期を確立し、誤り検出を行い、カプセリングされたパケットからパケットを抽出するＤＳＬＡＭのカプセリング化部１１１Ａとを備える。【選択図】  図１
2005012371.tif 000002
【特許請求の範囲】
【請求項１】
電話回線を介して、宅内側のＡＴＵ−Ｒと局側のＤＳＬＡＭ間のＡＤＳＬ伝送を行うＡＤＳＬカプセリング化システムにおいて、
前記ＡＴＵ−Ｒから前記ＤＳＬＡＭに送信するパケットデータにパケットデータのフレーム同期を行うフレームビットとパケットデータの誤りを検出するためのＦＣＳを挿入しパケットデータのカプセリング化を行い、前記ＤＳＬＡＭから前記ＡＴＵ−Ｒに送信されカプセリング化されたパケットデータに対して、フレームビットを基に同期を確立し、パケットデータの誤り検出を行い、カプセリング化されたパケットデータからパケットデータを抽出するＡＴＵ−Ｒのカプセリング化部と、
前記ＤＳＬＡＭから前記ＡＴＵ−Ｒに送信するパケットデータにパケットデータのフレーム同期を行うフレームビットとパケットデータの誤りを検出するためのＦＣＳを挿入しパケットデータのカプセリング化を行い、前記ＡＴＵ−Ｒから前記ＤＳＬＡＭに送信されカプセリング化されたパケットデータに対して、フレームビットを基に同期を確立し、パケットデータの誤り検出を行い、カプセリング化されたパケットデータからパケットデータを抽出するＤＳＬＡＭのカプセリング化部とを備えることを特徴とするＡＤＳＬカプセリング化システム。
【請求項２】
電話回線を介して、宅内側のＡＴＵ−Ｒと局側のＤＳＬＡＭ間のＡＤＳＬ伝送を行うＡＤＳＬカプセリング化システムにおいて、
前記ＡＴＵ−Ｒから前記ＤＳＬＡＭに送信するパケットデータにパケットデータのフレーム同期を行うフレームビットを挿入しパケットデータのカプセリング化を行い、前記ＤＳＬＡＭから前記ＡＴＵ−Ｒに送信されカプセリング化されたパケットデータに対して、フレームビットを基に同期を確立し、カプセリング化されたパケットデータからパケットデータを抽出するＡＴＵ−Ｒのカプセリング化部と、
前記ＤＳＬＡＭから前記ＡＴＵ−Ｒに送信するパケットデータにパケットデータのフレーム同期を行うフレームビットを挿入しパケットデータのカプセリング化を行い、前記ＡＴＵ−Ｒから前記ＤＳＬＡＭに送信されカプセリング化されたパケットデータに対して、フレームビットを基に同期を確立し、カプセリング化されたパケットデータからパケットデータを抽出するＤＳＬＡＭのカプセリング化部とを備えることを特徴とするＡＤＳＬカプセリング化システム。
【請求項３】
前記フレームビットは任意の固定パターンと、任意の前方保護段数、任意の後方段数を有することを特徴とする、請求項１又は請求項２に記載のＡＤＳＬカプセリング化システム。
【請求項４】
前記ＡＴＵ−Ｒのカプセリング化部、前記ＤＳＬＡＭのカプセリング化部で、パラメータデータをカプセリング化する場合、前記ＡＴＵ−ＲにＬＡＮを介して接続される複数の端末に対して、前記フレームビットに端末毎の優先順位情報を付加し、優先順位に応じたサービスの提供を可能にすることを特徴とする、請求項１又は請求項２に記載のＡＤＳＬカプセリング化システム。
【請求項５】
前記ＡＴＵ−Ｒのカプセリング部では任意のプロトコルがＭＡＣ層とＡＤＳＬ層の間に規定され、ＳＴＭ−１／ＯＣ−３網に接続される前記ＤＳＬＡＭのカプセリング化部では任意のプロトコルがＡＤＳＬ層とＳＴＭ−１／ＯＣ−３層の間に規定されることを特徴とする、請求項１又は請求項２に記載のＡＤＳＬカプセリング化システム。
【請求項６】
電話回線を介して、宅内側のＡＴＵ−Ｒと局側のＤＳＬＡＭ間のＡＤＳＬ伝送を行うＡＤＳＬカプセリング化方法において、
前記ＡＴＵ−Ｒから前記ＤＳＬＡＭに送信するパケットデータにパケットデータのフレーム同期を行うフレームビットとパケットデータの誤りを検出するためのＦＣＳを挿入しパケットデータのカプセリング化を行う工程と、
前記ＡＴＵ−Ｒから前記ＤＳＬＡＭに送信されカプセリング化されたパケットデータに対して、フレームビットを基に同期を確立し、パケットデータの誤り検出を行い、カプセリング化されたパケットデータからパケットデータを抽出する工程と、
前記ＤＳＬＡＭから前記ＡＴＵ−Ｒに送信するパケットデータにパケットデータのフレーム同期を行うフレームビットとパケットデータの誤りを検出するためのＦＣＳを挿入しパケットデータのカプセリング化を行う工程と、
前記ＤＳＬＡＭから前記ＡＴＵ−Ｒに送信されカプセリング化されたパケットデータに対して、フレームビットを基に同期を確立し、パケットデータの誤り検出を行い、カプセリング化されたパケットデータからパケットデータを抽出する工程とを備えることを特徴とするＡＤＳＬカプセリング化方法。
【請求項７】
電話回線を介して、宅内側のＡＴＵ−Ｒと局側のＤＳＬＡＭ間のＡＤＳＬ伝送を行うＡＤＳＬカプセリング化方法において、
前記ＡＴＵ−Ｒから前記ＤＳＬＡＭに送信するパケットデータにパケットデータのフレーム同期を行うフレームビットを挿入しパケットデータのカプセリング化を行う工程と、
前記ＡＴＵ−Ｒから前記ＤＳＬＡＭに送信されカプセリング化されたパケットデータに対して、フレームビットを基に同期を確立し、カプセリング化されたパケットデータからパケットデータを抽出する工程と、
前記ＤＳＬＡＭから前記ＡＴＵ−Ｒに送信するパケットデータにパケットデータのフレーム同期を行うフレームビットを挿入しパケットデータのカプセリング化を行う工程と、
前記ＤＳＬＡＭから前記ＡＴＵ−Ｒに送信されカプセリング化されたパケットデータに対して、フレームビットを基に同期を確立し、カプセリング化されたパケットデータからパケットデータを抽出する工程とを備えることを特徴とするＡＤＳＬカプセリング化方法。
【発明の詳細な説明】
【０００１】
【発明が属する技術分野】
本発明は電話回線を利用して高速のデータ通信を行うＩＰベースのＡＤＳＬ（Ａｓｙｍｍｅｔｒｉｃ  Ｄｉｇｉｔａｌ  Ｓｕｂｓｃｒｉｂｅｒ  Ｌｉｎｅ）システムに関する。特に、本発明は、高スループットのデータ通信を提供するＡＤＳＬカプセリング化システム及び方法に関する。
【０００２】
【従来の技術】
従来の伝送方法では、ＳＴＭ、ＡＴＭおよびＩＰを単一のネットワークに収容可能としている（例えば、特許文献１参照。）。
また、従来のＡＤＳＬアクセスシステムでは、アプリケーションプロトコルに適したＡＤＳＬチャネルを使用したデータ転送を可能にしている（例えば、特許文献２参照。）。
【０００３】
【特許文献１】
特開２００１−１０３０９１（段落００２０、図１）
【特許文献２】
特開２００２−１９８９９１（段落００３２、図１）
【０００４】
図４は本発明の前提となるＡＤＳＬシステムの概略構成を示すブロック図である。なお、全図を通して同一の構成要素には同一の番号、符号を付して説明を行う。
本図に示すように、ＡＤＳＬシステムでは複数のパーソナルコンピュータ（ＰＣ）又は端末１０９ａ、１０９ｂがＥｔｈｅｒｎｅｔ（登録商標）のようなＬＡＮ（Ｌｏｃａｌ  Ａｒｅａ  Ｎｅｔｗｏｒｋ）１１３を介して宅内側のＡＴＵ−Ｒ（非対称デジタル加入者終端装置リモート）１１０に接続される。
【０００５】
ＡＴＵ−Ｒ１１０には電話回線１１４を介して局側のＤＳＬＡＭ（デジタル加入者線アクセスマルチプレクサ）１１１が接続される。なお、電話回線１１４上でＡＤＳＬ伝送が行われる。
さらに、ＤＳＬＡＭ１１１にはＯＣ（Ｏｐｔｉｃａｌ  Ｃａｒｒｉｅｒ）−３１１５を介してＡＴＭ−スイッチ（ＳＷ）機能を有するＢＡＳ（ブロードバンドアクセスサーバー）１１２が接続される。
【０００６】
このようにして、ＡＤＳＬシステムでは電話回線を利用して高速のデータ通信を行うＩＰベースのインターネットが実現される。
図５は図４におけるＡＤＳＬシステムのプロトコルスタックの一例を示す図である。
本図に示すように、ＡＤＳＬシステムのパーソナルコンピュータ又は端末１０９ａ、１０９ｂにはＥｔｈｅｒ、ＭＡＣ（Ｍｅｄｉａ  Ａｃｃｅｓｓ  Ｃｏｎｔｒｏｌ）、ＰＰＰｏＥ（Ｐｏｉｎｔ  ｔｏ  Ｐｏｉｎｔ  Ｐｒｏｔｃｏｌ  ｏｖｅｒ  Ｅｔｈｅｒｎｅｔ（登録商標））、ＰＰＰ（Ｐｏｉｎｔ  ｔｏ  Ｐｏｉｎｔ  Ｐｒｏｔｃｏｌ）、ＩＰからなるプロトコルスタックがそれぞれインストールされている。
【０００７】
さらに、ＡＴＵ−Ｒ１１０にはＥｔｈｅｒ、ＭＡＣ、Ｂｒｉｄｇｉｎｇ、ＡＤＳＬ、ＡＴＭ（Ａｓｙｎｃｈｒｏｎｏｕｓ  Ｔｒａｎｓｆｅｒ  Ｍｏｄｕｌｅ）、ＡＡＬ（ＡＴＭ  Ａｄａｐｔａｔｉｏｎ  Ｌａｙｅｒ）５、ＬＬＣ（Ｌｏｇｉｃ  Ｌｉｎｋ  Ｃｏｎｔｒｏｌ）、ＭＡＣからなるプロトコルスタックがインストールされている。
さらに、ＤＳＬＡＭ１１１にはＡＤＳＬ、ＡＴＭ、ＳＴＭ−１、ＯＣ−３からなるプロトコルスタックがインストールされている。
【０００８】
さらに、ＢＡＳ１１２にはＳＴＭ−１、ＯＣ−３、ＡＴＭ、、ＡＡＬ５、ＬＬＣ、ＭＡＣ、ＰＰＰｏＥ、ＰＰＰ、ＩＰからなるプロトコルスタックがインストールされている。
このように、ＡＤＳＬシステムでは、プロトコルスタックではＰＰＰｏＥをベースとするプロトコルスタックが一般的であり、ＡＴＵ−Ｒ１１０では、ＩＰベースのパケットデータをＡＴＭベースのセルデータに変換が行われる。
【０００９】
図６は図４におけるＡＴＵ−Ｒ１１０がＩＰベースのパケットデータをＡＴＭベースのセルデータに変換を行う例を説明する図である。本図（ａ）に示すように、ＡＴＵ−Ｒ１１０ではパーソナルコンピュータ又は端末１０９ａ、１０９ｂからのパケット（ＩＰデータ）をＡＴＭセルに変換している。
この場合、パーソナルコンピュータ又は端末１０９ａ、１０９ｂからのパケットは６４ｂｙｔｅ〜１５１８ｂｙｔｅであり、ＡＴＭセルは５３ｂｙｔｅである。
【００１０】
本図（ｂ）に示すように、ＡＴＭセルは５ｂｙｔｅのヘッダ、４８ｂｙｔｅのペイロードからなる。
【発明が解決しようとする課題】
しかしながら、上記の本発明の前提となるＡＤＳＬシステムには、ＡＴＵ−Ｒ１１０からＤＳＬＡＭ１１１への上りでは、６４ｂｙｔｅ〜１５１８ｂｙｔｅのパケットから５３ｂｙｔｅのＡＴＭセルに変換してＡＤＳＬ伝送を行う際に次のような問題がある。
【００１１】
まず、６４ｂｙｔｅの最小サイズのパケットに対してＡＴＭセルに変換するには、５３ｂｙｔｅのＡＴＭセルが、２セル必要となる。
この場合、変換効率は、（６４ｂｙｔｅ／５３ｂｙｔｅ＊２）＊１００＝６０．４％となる。このため、この伝送方式は非効率である。
さらに、１５１８ｂｙｔｅの最大サイズのパケットに対してＡＴＭセルに変換するには、５３ｂｙｔｅのＡＴＭセルのうちで領域が４８ｂｙｔｅであり、１５１８ｂｙｔｅ／４８ｂｙｔｅ＝３１．６であるので、１つのパケットデータを変換するのに、３２のＡＴＭセルが必要となる。
【００１２】
この場合、変換効率は、（１５１８ｂｙｔｅ／５３ｂｙｔｅ＊３２）＝８９．５％となる。このため、パケットサイズを最大サイズに設定した場合でも１０％以上の損失が生じている。
近年、ＡＴＵ−ＲとＤＳＬＡＭ間におけるＡＤＳＬ伝送の物理速度の高速化が１．５Ｍｂｐｓ、８Ｍｂｐｓ、１２Ｍｂｐｓと進められているが、物理速度に対して実際にデータ通信を行う時のスループットが変換損失により低下するという問題がある。
【００１３】
上記の従来技術の特許文献１、２では、ＳＴＭ、ＡＴＭおよびＩＰに関連し、ＡＤＳＬチャネルを使用したデータ転送に関連するが、このような変換損失に対する問題は、解決することができない。
なお、ＤＳＬＡＭ１１１からＡＴＵ−Ｒ１１０への下りでは、ＳＴＭセルからＡＴＭセルへの変換の際には、このような変換損失は生じない。
したがって、本発明は上記問題点に鑑みて、ＡＤＳＬ伝送時に変換損失を抑制しスループットの向上が可能になるＡＤＳＬカプセリング化システム及び方法を提供することを目的とする。
【００１４】
【課題を解決するための手段】
本発明は前記問題点を解決するために、電話回線を介して、宅内側のＡＴＵ−Ｒと局側のＤＳＬＡＭ間のＡＤＳＬ伝送を行うＡＤＳＬカプセリング化システムにおいて、前記ＡＴＵ−Ｒから前記ＤＳＬＡＭに送信するパケットデータにパケットデータのフレーム同期を行うフレームビットとパケットデータの誤りを検出するためのＦＣＳを挿入しパケットデータのカプセリング化を行い、前記ＤＳＬＡＭから前記ＡＴＵ−Ｒに送信されカプセリング化されたパケットデータに対して、フレームビットを基に同期を確立し、パケットデータの誤り検出を行い、カプセリング化されたパケットデータからパケットデータを抽出するＡＴＵ−Ｒのカプセリング化部と、前記ＤＳＬＡＭから前記ＡＴＵ−Ｒに送信するパケットデータにパケットデータのフレーム同期を行うフレームビットとパケットデータの誤りを検出するためのＦＣＳを挿入しパケットデータのカプセリング化を行い、前記ＡＴＵ−Ｒから前記ＤＳＬＡＭに送信されカプセリング化されたパケットデータに対して、フレームビットを基に同期を確立し、パケットデータの誤り検出を行い、カプセリング化されたパケットデータからパケットデータを抽出するＤＳＬＡＭのカプセリング化部とを備えることを特徴とするＡＤＳＬカプセリング化システムを提供する。
【００１５】
この手段により、ＡＤＳＬ伝送時に変換損失を抑制しスループットの向上が可能になる
さらに、本発明は、電話回線を介して、宅内側のＡＴＵ−Ｒと局側のＤＳＬＡＭ間のＡＤＳＬ伝送を行うＡＤＳＬカプセリング化システムにおいて、前記ＡＴＵ−Ｒから前記ＤＳＬＡＭに送信するパケットデータにパケットデータのフレーム同期を行うフレームビットを挿入しパケットデータのカプセリング化を行い、前記ＤＳＬＡＭから前記ＡＴＵ−Ｒに送信されカプセリング化されたパケットデータに対して、フレームビットを基に同期を確立し、カプセリング化されたパケットデータからパケットデータを抽出するＡＴＵ−Ｒのカプセリング化部と、前記ＤＳＬＡＭから前記ＡＴＵ−Ｒに送信するパケットデータにパケットデータのフレーム同期を行うフレームビットを挿入しパケットデータのカプセリング化を行い、前記ＡＴＵ−Ｒから前記ＤＳＬＡＭに送信されカプセリング化されたパケットデータに対して、フレームビットを基に同期を確立し、カプセリング化されたパケットデータからパケットデータを抽出するＤＳＬＡＭのカプセリング化部とを備えることを特徴とするＡＤＳＬカプセリング化システムを提供する。
【００１６】
この手段により、前述の場合と比較して、ＦＣＳの挿入を行わないようにすることにより、通信品質の悪化を招くが、さらに、高効率は変換効率を得ることが可能になる。
さらに、前記フレームビットは任意の固定パターンと、任意の前方保護段数、任意の後方段数を有する。
【００１７】
この手段により、同期確立が確保される。
さらに、前記ＡＴＵ−Ｒのカプセリング化部、前記ＤＳＬＡＭのカプセリング化部で、パラメータデータをカプセリング化する場合、前記ＡＴＵ−ＲにＬＡＮを介して接続される複数の端末に対して、前記フレームビットに端末毎の優先順位情報を付加し、優先順位に応じたサービスの提供を可能にする。
この手段により、前記ＡＴＵ−Ｒのカプセリング化部、前記ＤＳＬＡＭのカプセリング化部の機能を拡充することが可能になる。
【００１８】
さらに、前記ＡＴＵ−Ｒのカプセリング部では任意のプロトコルがＭＡＣ層とＡＤＳＬ層の間に規定され、ＳＴＭ−１／ＯＣ−３網に接続される前記ＤＳＬＡＭのカプセリング化部では任意のプロトコルがＡＤＳＬ層とＳＴＭ−１／ＯＣ−３層の間に規定される。
この手段により、簡単な方式でカプセリング化することが可能になる。
【００１９】
さらに、本発明は、電話回線を介して、宅内側のＡＴＵ−Ｒと局側のＤＳＬＡＭ間のＡＤＳＬ伝送を行うＡＤＳＬカプセリング化方法において、前記ＡＴＵ−Ｒから前記ＤＳＬＡＭに送信するパケットデータにパケットデータのフレーム同期を行うフレームビットとパケットデータの誤りを検出するためのＦＣＳを挿入しパケットデータのカプセリング化を行う工程と、前記ＡＴＵ−Ｒから前記ＤＳＬＡＭに送信されカプセリング化されたパケットデータに対して、フレームビットを基に同期を確立し、パケットデータの誤り検出を行い、カプセリング化されたパケットデータからパケットデータを抽出する工程と、前記ＤＳＬＡＭから前記ＡＴＵ−Ｒに送信するパケットデータにパケットデータのフレーム同期を行うフレームビットとパケットデータの誤りを検出するためのＦＣＳを挿入しパケットデータのカプセリング化を行う工程と、前記ＤＳＬＡＭから前記ＡＴＵ−Ｒに送信されカプセリング化されたパケットデータに対して、フレームビットを基に同期を確立し、パケットデータの誤り検出を行い、カプセリング化されたパケットデータからパケットデータを抽出する工程とを備えることを特徴とするＡＤＳＬカプセリング化方法を提供する。
【００２０】
この手段により、ＡＤＳＬ伝送時に変換損失を抑制しスループットの向上が可能になる
さらに、本発明は、電話回線を介して、宅内側のＡＴＵ−Ｒと局側のＤＳＬＡＭ間のＡＤＳＬ伝送を行うＡＤＳＬカプセリング化方法において、前記ＡＴＵ−Ｒから前記ＤＳＬＡＭに送信するパケットデータにパケットデータのフレーム同期を行うフレームビットを挿入しパケットデータのカプセリング化を行う工程と、前記ＡＴＵ−Ｒから前記ＤＳＬＡＭに送信されカプセリング化されたパケットデータに対して、フレームビットを基に同期を確立し、カプセリング化されたパケットデータからパケットデータを抽出する工程と、前記ＤＳＬＡＭから前記ＡＴＵ−Ｒに送信するパケットデータにパケットデータのフレーム同期を行うフレームビットを挿入しパケットデータのカプセリング化を行う工程と、前記ＤＳＬＡＭから前記ＡＴＵ−Ｒに送信されカプセリング化されたパケットデータに対して、フレームビットを基に同期を確立し、カプセリング化されたパケットデータからパケットデータを抽出する工程とを備えることを特徴とするＡＤＳＬカプセリング化方法を提供する。
【００２１】
この手段により、前述の場合と比較して、ＦＣＳの挿入を行わないようにすることにより、通信品質の悪化を招くが、さらに、高効率は変換効率を得ることが可能になる。
【００２２】
【発明の実施の形態】
以下、本発明の実施の形態について図面を参照して説明する。
図１は本発明に係るＡＤＳＬカプセリング化システムの概略構成を示すブロック図である。
本図に示すように、図４と比較して、ＡＴＵ−Ｒ１１０にはカプセリング化部１１０Ａが設けられ、カプセリング化部１１０Ａではパーソナルコンピュータ又は端末１０９ａ、１０９ｂから受信した任意のパケット長（６４ｂｙｔｅ〜１５１８ｂｙｔｅ）のパケットデータをカプセリング化する。
【００２３】
すなわち、カプセリング化部１１０Ａでは、受信したパケットデータに対してフレーム同期をとるために１ｂｙｔｅのＦ（フレームビット）とデータの誤りを検出させるために１ｂｙｔｅのＦＣＳビットの挿入を行う。
ＡＴＵ−Ｒ１１０では、カプセリング化部１１０Ａでカプセリング化したパケットデータがＡＤＳＬ変調され電話回線１１４を介してＤＳＬＡＭ１１１に送信される。
【００２４】
ＤＳＬＡＭ１１１にはカプセリング化部１１１Ａが設けられ、ＡＴＵ−Ｒ１１０からの送信データを受信したＤＳＬＡＭ１１１のカプセリング化部１１１Ａでは、受信され、カプセリング化された任意のパケットデータに対して、フレームビットＦを基に、同期が取られ、ＦＣＳビットによりデータの誤りの検出が行われ、正常な場合、カプセリング化されたパケットデータからパケットデータが抽出され、ＢＡＳ１１２にパケットデータが送信される。
【００２５】
ＢＡＳ１１２では、ＤＳＬＡＭ１１１から送信データが受信され、ＳＴＭ−１のフレームのペイロードに格納される。
逆に、ＤＳＬＡＭ１１１では、ＢＡＳ１１２から受信したＳＴＭ−１のフレームのペイロードから、パケットデータが取り出され、ＤＳＬＡＭ１１１のカプセリング化部１１１Ａでは、受信した任意のパケット長（６４ｂｙｔｅ〜１５１８ｂｙｔｅ）のパケットデータがカプセリング化される。
【００２６】
前述と同様に、カプセリング化部１１１Ａでは、受信したパケットデータに対してフレーム同期をとるために１ｂｙｔｅのＦ（フレームビット）とデータの誤りを検出させるために１ｂｙｔｅのＦＣＳビットの挿入が行われる。
ＤＳＬＡＭ１１１では、カプセリング化部１１１Ａでカプセリング化したパケットデータがＡＤＳＬ変調され電話回線１１４を介してＡＴＵ−Ｒ１１０に送信される。
【００２７】
ＤＳＬＡＭ１１１からの送信データを受信したＡＴＵ−Ｒ１１０のカプセリング化部１１０Ａでは、受信され、カプセリング化された任意のパケットデータに対して、フレームビットＦを基に、同期が取られ、ＦＣＳビットによりデータの誤りの検出が行われ、正常な場合、カプセリング化されたパケットデータからパケットデータが抽出され、パーソナルコンピュータ又は端末１０９ａ、１０９ｂにパケットデータがそれぞれ送信される。
【００２８】
図２は図１におけるＡＴＵ−Ｒ１１０のカプセリング化部１１０Ａ、ＤＳＬＡＭ１１１のカプセリング化部１１１Ａの動作例を説明する図である。
本図に示すように、受信したパケットデータ（ＩＰデータ）にカプセリング化部１１０Ａ又はカプセリング化部１１１Ａにより挿入されるフレームビットＦは、任意の前方保護段数、後方保護段数を有し、フレームビットＦでは、任意の固定パターンによりデータのフレーム同期の設定が行われる。これにより、同期確立が確保される。
【００２９】
さらに、受信したパケット（ＩＰデータ）にカプセリング化部１１０Ａ、カプセリング化部１１１Ａにより挿入されるＦＣＳ（Ｆｒａｍｅ  Ｃｈｅｃｋ  Ｓｅｑｕｅｎｃｅ）は、任意の生成多項式を有し、ＦＣＳではデータをＣＲＣ演算方式により演算した結果に基づきデータの誤りの検出が行われる。
図３は図１におけるＡＤＳＬカプセリング化システムのプロトコルスタックの一例を示す図である。
【００３０】
本図に示すように、ＡＤＳＬカプセリング化システムのパーソナルコンピュータ又は端末１０９ａ、１０９ｂにはＥｔｈｅｒ、ＭＡＣ、ＰＰＰｏＥ、ＰＰＰ、ＩＰからなるプロトコルスタックがそれぞれインストールされる。
さらに、ＡＴＵ−Ｒ１１０にはＥｔｈｅｒ、ＭＡＣ、カプセリング、ＡＤＳＬからなるプロトコルスタックがインストールされる。
【００３１】
さらに、ＤＳＬＡＭ１１１にはＡＤＳＬ、カプセリング、ＳＴＭ−１、ＯＣ−３からなるプロトコルスタックがインストールされる。
さらに、ＢＡＳ１１２にはＳＴＭ−１、ＯＣ−３、ＭＡＣ、ＰＰＰｏＥ、ＰＰＰ、ＩＰからなるプロトコルスタックがインストールされる。
この場合、最小のパケットサイズの変換効率は、｛６４ｂｙｔｅ／（６４ｂｙｔｅ＋２ｂｙｔｅ）｝＊１００＝９６．９％となる。このため、この伝送方式は従来方式と比較して飛躍的に向上できる。
【００３２】
さらに、最大のパケットサイズの変換効率は、｛１５１８ｂｙｔｅ／（１５１８ｂｙｔｅ＋２ｂｙｔｅ）｝＊１００＝９９．８％となる。このため、この伝送方式は従来方式と比較して飛躍的に向上できる。
このようにして、ＡＤＳＬの伝送システムでは、ＡＴＵ−Ｒ１１０とＤＳＬＡＭ１１１の間のデータ通信方法を簡単なフレーム方式によりカプセリング化することにより、同じ物理速度でかつ高効率なデータ通信が可能になり、高スループットを得ることが可能になる。
【００３３】
以上の説明では、カプセリング化部１１０Ａ、カプセリング化部１１１Ａではパケットデータに１ｂｙｔｅのフレームビットＦ、１ｂｙｔｅのＦＣＳを挿入してカプセリング化が行われたが、パケットデータに１ｂｙｔｅのフレームビットＦだけを挿入してカプセリング化が行われるようにし、ＦＣＳの挿入を行わないようにすることにより、通信品質の悪化を招くが、さらに、高効率は変換効率を得ることが可能になる。
【００３４】
さらに、カプセリング化部１１０Ａ、カプセリング化部１１１Ａでは、フレームビットＦの中に優先順位情報を付加し、複数のパーソナルコンピュータ又は端末１０９ａ、１０９ｂ毎に優先順位に応じたサービスの提供が行われる。
これにより、カプセリング化部１１０Ａ、カプセリング化部１１１Ａの機能を拡充することが可能になる。
【００３５】
【発明の効果】
以上説明したように、ＡＴＵ−ＲからＤＳＬＡＭに送信するパケットデータにパケットデータのフレーム同期を行うフレームビットとパケットデータの誤りを検出するためのＦＣＳを挿入しパケットデータのカプセリング化を行い、ＡＴＵ−ＲからＤＳＬＡＭに送信されカプセリング化されたパケットデータに対して、フレームビットを基に同期を確立し、パケットデータの誤り検出を行い、カプセリング化されたパケットデータからパケットデータを抽出し、ＤＳＬＡＭからＡＴＵ−Ｒに送信するパケットデータにパケットデータのフレーム同期を行うフレームビットとパケットデータの誤りを検出するためのＦＣＳを挿入しパケットデータのカプセリング化を行い、ＤＳＬＡＭからＡＴＵ−Ｒに送信されカプセリング化されたパケットデータに対して、フレームビットを基に同期を確立し、パケットデータの誤り検出を行い、カプセリング化されたパケットデータからパケットデータを抽出するようにしたので、ＡＤＳＬ伝送時に変換損失を抑制しスループットの向上が可能になる
【００３６】
さらに、ＡＴＵ−ＲからＤＳＬＡＭに送信するパケットデータにパケットデータのフレーム同期を行うフレームビットを挿入しパケットデータのカプセリング化を行い、ＡＴＵ−ＲからＤＳＬＡＭに送信されカプセリング化されたパケットデータに対して、フレームビットを基に同期を確立し、カプセリング化されたパケットデータからパケットデータを抽出し、ＤＳＬＡＭからＡＴＵ−Ｒに送信するパケットデータにパケットデータのフレーム同期を行うフレームビットを挿入しパケットデータのカプセリング化を行い、ＤＳＬＡＭからＡＴＵ−Ｒに送信されカプセリング化されたパケットデータに対して、フレームビットを基に同期を確立し、カプセリング化されたパケットデータからパケットデータを抽出するようにしたので、前述の場合と比較して、ＦＣＳの挿入を行わないようにすることにより、通信品質の悪化を招くが、さらに、高効率は変換効率を得ることが可能になる。
【図面の簡単な説明】
【図１】本発明に係るＡＤＳＬカプセリング化システムの概略構成を示すブロック図である。
【図２】図１におけるＡＴＵ−Ｒ１１０のカプセリング化部１１０Ａ、ＤＳＬＡＭ１１１のカプセリング化部１１１Ａの動作例を説明する図である。
【図３】図１におけるＡＤＳＬカプセリング化システムのプロトコルスタックの一例を示す図である。
【図４】本発明の前提となるＡＤＳＬシステムの概略構成を示すブロック図である。
【図５】図４におけるＡＤＳＬシステムのプロトコルスタックの一例を示す図である。
【図６】図４におけるＡＴＵ−Ｒ１１０がＩＰベースのパケットデータをＡＴＭベースのセルデータに変換を行う例を説明する図である。
【符号の説明】
１０９ａ、１０９ｂ…パーソナルコンピュータ又は端末
１１０…ＡＴＵ−Ｒ
１１０Ａ…カプセリング化部
１１１…ＤＳＬＡＭ
１１１Ａ…カプセリング化部
１１２…ＢＡＳ
１１３…ＬＡＮ
１１４…電話回線
１１５…ＯＣ−３
【図１】
2005012371.tif 000003
【図２】
2005012371.tif 000004
【図３】
2005012371.tif 000005
【図４】
2005012371.tif 000006
【図５】
2005012371.tif 000007
【図６】
2005012371.tif 000008